(57)【要約】【課題】緑地を人間に対する心理的、生理的効果が高くなるように整備することを支援する。【解決手段】計測部１２は、緑地の空間形態の評価、行動によって認知された効果、健康関連ＱＯＬ（Quality Of Life）の満足度を計測する。因子分析部１３は、空間形態と緑地の空間形態の評価との関係を表わす第１の因子と、利用行動と行動によって認知された効果との関係を表す第２の因子と、健康関連ＱＯＬと健康関連ＱＯＬの満足度との関係を表す第３の因子とを求める。モデル構築部１４は、空間形態と第１の因子、利用形態と第２の因子、健康関連ＱＯＬと第３の因子を関連付けし、緑地・健康関連ＱＯＬ影響構造モデルを構築する。構造方程式モデリング部１５は、緑地・健康関連ＱＯＬ影響構造モデルを分析し、パス係数と、決定係数と、因子得点とを算出する。【選択図】図１
2014167717.tif 000002
【特許請求の範囲】
【請求項１】
緑地の空間形態の評価と、行動によって認知された効果と、健康関連ＱＯＬの満足度とを計測する計測部と、
前記計測部によって計測された、前記緑地の空間形態の評価と、前記行動によって認知された効果と、前記健康関連ＱＯＬの満足度とに対して因子分析を行うことによって、空間形態と前記緑地の空間形態の評価との関係を表す第１の因子と、利用行動と前記行動によって認知された効果との関係を表す第２の因子と、健康関連ＱＯＬと前記健康関連ＱＯＬの満足度との関係を表す第３の因子とを、求める因子分析部と、
前記空間形態と前記利用行動と前記健康関連ＱＯＬとの関係を表すモデルに基づいて、前記第１の因子に関連付けられている前記空間形態と、前記第２の因子に関連付けられている前記利用行動と、前記第３の因子に関連付けられている前記健康関連ＱＯＬとを関連付し、緑地・健康関連ＱＯＬ影響構造モデルを構築するモデル構築部と、
構造方程式モデリングに基づいて、前記緑地・健康関連ＱＯＬ影響構造モデルを分析し、各因子の影響度合いを表すパス係数と、決定係数と、因子得点とを算出する構造方程式モデリング部と、
を備えることを特徴とする緑地評価装置。
【請求項２】
前記モデル構築部は、前記緑地の空間形態の評価と前記第１の因子とを関連付けし、前記行動によって認知された効果と前記第２の因子とを関連付けし、前記健康関連ＱＯＬの満足度と前記第３の因子とを関連付ける、
ことを特徴とする請求項１記載の緑地評価装置。
【請求項３】
前記構造方程式モデリング部は、前記空間形態から前記健康関連ＱＯＬに対するパス係数と、前記空間形態から前記利用行動を介して前記健康関連ＱＯＬに対するパス係数とを算出する、
ことを特徴とする請求項１または２に記載の緑地評価装置。
【請求項４】
緑地の空間形態の評価と、行動によって認知された効果と、健康関連ＱＯＬの満足度とを計測する計測ステップと、
前記計測ステップで計測された、前記緑地の空間形態の評価と、前記行動によって認知された効果と、前記健康関連ＱＯＬの満足度とに対して因子分析を行うことによって、空間形態と前記緑地の空間形態の評価との関係を表す第１の因子と、利用行動と前記行動によって認知された効果との関係を表す第２の因子と、健康関連ＱＯＬと前記健康関連ＱＯＬの満足度との関係を表す第３の因子とを、求める因子分析ステップと、
前記空間形態と前記利用行動と前記健康関連ＱＯＬとの関係を表すモデルに基づいて、前記第１の因子に関連付けられている前記空間形態と、前記第２の因子に関連付けられている前記利用行動と、前記第３の因子に関連付けられている前記健康関連ＱＯＬとを関連付し、緑地・健康関連ＱＯＬ影響構造モデルを構築するモデル構築ステップと、
構造方程式モデリングに基づいて、前記緑地・健康関連ＱＯＬ影響構造モデルを分析し、各因子の影響度合いを表すパス係数と、決定係数と、因子得点とを算出する構造方程式モデリングステップと、
をコンピュータに実行させることを特徴とする緑地評価方法。
【発明の詳細な説明】
【技術分野】
【０００１】
本発明は、緑地評価装置、及び緑地評価方法に関する。
【背景技術】
【０００２】
樹林の存在する緑地には、ヒートアイランドの緩和、雨水保持、大気浄化等の環境に対する効果が存在するのみならず、心身の健康や癒し等の人間に対する効果が存在すると考えられている。特許文献１には、人間が森林浴を行うことによる生理的効果を評価する方法が記載されている。
【先行技術文献】
【特許文献】
【０００３】
【特許文献１】特許第３９４２１８６号公報
【発明の概要】
【発明が解決しようとする課題】
【０００４】
しかしながら、特許文献１は、既に存在する緑地の生理的効果を評価する方法を示すのみであり、緑地をどのように整備すれば、より人間に対する心理的、生理的効果が高くなるかを示すものではない。ここで、公園や広場等における緑地を、人間にとってリラックスできるような場所にしようとする場合、より人間に対する心理的、生理的効果が高くなるように整備することが望ましい。
【０００５】
本発明は、このような事情を考慮してなされたものであり、その目的は、緑地を人間に対する心理的、生理的効果が高くなるように整備することを支援することができる緑地評価装置、及び緑地評価方法を提供することにある。
【課題を解決するための手段】
【０００６】
上述した課題を解決するために、本発明は、緑地の空間形態の評価と、行動によって認知された効果と、健康関連ＱＯＬの満足度とを計測する計測部と、前記計測部によって計測された、前記緑地の空間形態の評価と、前記行動によって認知された効果と、前記健康関連ＱＯＬの満足度とに対して因子分析を行うことによって、空間形態と前記緑地の空間形態の評価との関係を表す第１の因子と、利用行動と前記行動によって認知された効果との関係を表す第２の因子と、健康関連ＱＯＬと前記健康関連ＱＯＬの満足度との関係を表す第３の因子とを、求める因子分析部と、前記空間形態と前記利用行動と前記健康関連ＱＯＬとの関係を表すモデルに基づいて、前記第１の因子に関連付けられている前記空間形態と、前記第２の因子に関連付けられている前記利用行動と、前記第３の因子に関連付けられている前記健康関連ＱＯＬとを関連付し、緑地・健康関連ＱＯＬ影響構造モデルを構築するモデル構築部と、構造方程式モデリングに基づいて、前記緑地・健康関連ＱＯＬ影響構造モデルを分析し、各因子の影響度合いを表すパス係数と、決定係数と、因子得点とを算出する構造方程式モデリング部と、を備えることを特徴とする。
【０００７】
本発明は、上述の緑地評価装置において、前記モデル構築部は、前記緑地の空間形態の評価と前記第１の因子とを関連付けし、前記行動によって認知された効果と前記第２の因子とを関連付けし、前記健康関連ＱＯＬの満足度と前記第３の因子とを関連付ける、ことを特徴とする。
【０００８】
本発明は、上述の緑地評価装置において、前記構造方程式モデリング部は、前記空間形態から前記健康関連ＱＯＬに対するパス係数と、前記空間形態から前記利用行動を介して前記健康関連ＱＯＬに対するパス係数とを算出する、ことを特徴とする。
【０００９】
本発明は、上述の緑地評価装置において、緑地の空間形態の評価と、行動によって認知された効果と、健康関連ＱＯＬの満足度とを計測する計測ステップと、前記計測ステップで計測された、前記緑地の空間形態の評価と、前記行動によって認知された効果と、前記健康関連ＱＯＬの満足度とに対して因子分析を行うことによって、空間形態と前記緑地の空間形態の評価との関係を表す第１の因子と、利用行動と前記行動によって認知された効果との関係を表す第２の因子と、健康関連ＱＯＬと前記健康関連ＱＯＬの満足度との関係を表す第３の因子とを、求める因子分析ステップと、前記空間形態と前記利用行動と前記健康関連ＱＯＬとの関係を表すモデルに基づいて、前記第１の因子に関連付けられている前記空間形態と、前記第２の因子に関連付けられている前記利用行動と、前記第３の因子に関連付けられている前記健康関連ＱＯＬとを関連付し、緑地・健康関連ＱＯＬ影響構造モデルを構築するモデル構築ステップと、構造方程式モデリングに基づいて、前記緑地・健康関連ＱＯＬ影響構造モデルを分析し、各因子の影響度合いを表すパス係数と、決定係数と、因子得点とを算出する構造方程式モデリングステップと、をコンピュータに実行させることを特徴とする。
【発明の効果】
【００１０】
この発明によれば、緑地の人間に対する心理的、生理的効果を評価することで、緑地と健康との関係を評価することができる。そして、この評価結果を参考に、緑地の人間に対する心理的、生理的効果が高くなるような緑地設計を支援することができることができる。
【図面の簡単な説明】
【００１１】
【図１】本実施形態による緑地評価装置を用いた緑地評価システムの構成を示すブロック図である。
【図２】本実施形態による、緑地の生活の質に対する影響構造を示す概念図である。
【図３】本実施形態による、緑地の生活の質に対する影響構造を構築する際の考え方を示す概念図である。
【図４】本実施形態の計測部１２によって計測される、緑地の空間形態の評価を示す図である。
【図５】本実施形態の計測部１２によって計測される、利用行動によって認知された効果を示す図である。
【図６】本実施形態の計測部１２によって計測される、健康関連ＱＯＬの満足度を示す図である。
【図７】本実施形態における、調査項目（観測変数）を測定する際に端末装置３０−１〜３０−ｎの画面の表示例を示す模式図である。
【図８】本実施形態の因子分析部１３による、緑地の空間形態の評価に関する因子（第１の因子）を示す図である。
【図９】本実施形態による、空間形態の影響構造を示す概念図である。
【図１０】本実施形態の因子分析部１３による、利用行動によって認知された効果に関する因子（第２の因子）を示す図である。
【図１１】本実施形態による、利用行動の影響構造を示す概念図である。
【図１２】本実施形態の因子分析部１３による、健康関連ＱＯＬの満足度に関する因子（第３の因子）を示す図である。
【図１３】本実施形態による、健康関連ＱＯＬの影響構造を示す概念図である。
【図１４】本実施形態のモデル構築部１４により構築される、緑地・健康関連ＱＯＬ影響構造を示す概念図である。
【図１５】本実施形態の構造方程式モデリング部１５による、緑地・健康関連ＱＯＬ影響構造の分析結果を示す概念図である。
【図１６】本実施形態の構造方程式モデリング部１５により分析された、空間形態・利用行動と観測変数との関係の強さ（影響度合い）を示す図である。
【図１７】本実施形態の構造方程式モデリング部１５により分析された、行動クラスター別の健康効果（因子得点）の評価を示す図である。
【発明を実施するための形態】
【００１２】
以下、本発明の一実施形態を、図面を参照して説明する。
【００１３】
図１は、本実施形態による緑地評価装置を用いた緑地評価システムの構成を示すブロック図である。図１において、緑地評価装置１０は、インターネットなどのネットワーク２０に接続されている。該ネットワーク２０には、複数の端末装置３０−１、３０−２、…、３０−ｎが接続されている。複数の端末装置３０−１、３０−２、…、３０−ｎは、パーソナルコンピュータや、携帯情報端末などからなり、ネットワーク２０を介して、緑地評価装置１０に接続（アクセス）することによって、緑地の生活に対する影響などの結果を表す情報を、ユーザからの操作に応じて入力し、緑化評価装置１０に送信する。
【００１４】
緑地評価装置１０は、通信部１１、計測部１２、因子分析部１３、モデル構築部１４、構造方程式モデリング部１５、入力部１６、出力部１７、観測結果記憶部１８、及び構造モデル記憶部１９を備えている。通信部１１は、ネットワーク２０に接続し、複数の端末装置３０−１〜３０−ｎとの間で各種情報の送受信を行う。計測部１２は、緑地の空間形態の評価、行動によって認知された効果、健康関連ＱＯＬ（Quality Of Life）の満足度を計測する。具体的には、計測部１２は、ネットワーク２０を介して接続された端末装置３０−１〜３０−ｎの入力画面（後述）から、ユーザによって各調査項目に対する回答を入力してもらい、これを集計することで計測する。
【００１５】
因子分析部１３は、計測部１２によって計測された、緑地の空間形態の評価、行動によって認知された効果、健康関連ＱＯＬの満足度に対して因子分析を行うことによって、空間形態と緑地の空間形態の評価との関係を表す第１の因子と、利用行動と行動によって認知された効果との関係を表す第２の因子と、健康関連ＱＯＬと前記健康関連ＱＯＬの満足度との関係を表す第３の因子とを求める。また、因子分析部１３は、緑地の空間形態の評価と第１の因子とを関連付けし、行動によって認知された効果と第２の因子とを関連付けし、健康関連ＱＯＬの満足度と第３の因子とを関連付ける。なお、第１の因子、第２の因子、及び第３の因子の詳細については後述する。
【００１６】
モデル構築部１４は、空間形態と利用行動と健康関連ＱＯＬとの関係を表すモデルに対し、第１の因子に関連付けられている空間形態と、第２の因子に関連付けられている利用行動と、第３の因子に関連付けられている健康関連ＱＯＬとを関連付けすることによって、緑地・健康関連ＱＯＬ影響構造モデルを構築する。
【００１７】
構造方程式モデリング部１５は、構造方程式モデリングに基づいて、緑地・健康関連ＱＯＬ影響構造モデルを分析し、各因子の影響度合いを表すパス係数と、決定係数と、因子得点とを算出する。具体的には、構造方程式モデリング部は、空間形態から健康関連ＱＯＬに対するパス係数と、空間形態から利用行動を介して健康関連ＱＯＬに対するパス係数とを算出する。入力部１６は、因子名の入力や、因子間を結ぶパスの編集指示の入力などを行う。出力部１７は、因子分析部１３の分析結果や、モデル構築部１４により構築された緑地・健康関連ＱＯＬ影響構造モデル、構造方程式モデリング部１５により算出されたパス係数や、因子得点、決定係数などの表示装置への出力や、図示しない外部機器への出力を行う。
【００１８】
観測結果記憶部１８は、計測部１２により計測された、緑地の空間形態の評価、行動によって認知された効果、健康関連ＱＯＬの満足度を記憶する。構造モデル記憶部１９は、モデル構築部１４により構築された緑地・健康関連ＱＯＬ影響構造モデルや、構造方程式モデリング部１５により算出されたパス係数や、因子得点、決定係数などを記憶する。
【００１９】
＜概要＞
図２は、本実施形態による、緑地の生活の質に対する影響構造を示す概念図である。また、図３は、本実施形態による、緑地の生活の質に対する影響構造を構築する際の考え方を示す概念図である。図２において、「利用行動６０」、「空間形態７０」、「健康関連ＱＯＬ８０」が潜在変数を示し、矢印が因果関係、矢印近傍の数字がパス係数、楕円の右上の数字が決定係数を示している。パス係数は、影響の度合いを表す数であり、例えば、観測変数と観測変数の間、観測変数と潜在変数の間、潜在変数と潜在変数の間の影響度合いを表し、決定係数は、観測変数や潜在変数を説明できている度合いを表す。
【００２０】
本発明は、図２に示すように、「利用行動６０」という緑地での行動によって認知される効果、「空間形態７０」という緑地の物理的環境、「健康関連ＱＯＬ８０」という健康に関連する生活の質の３要素（潜在変数）によって構成されることを特徴とする、緑地の生活の質に対する影響構造によって、健康に配慮した緑地の設計方法を支援する、緑地の生理・心理的機能のもたらす生活の質への影響と健康効果を数値的に評価する緑地評価装置１０、及び緑地評価方法を提供する。
【００２１】
ここで、健康関連ＱＯＬ指標の定義について簡単に説明する。
健康関連ＱＯＬ満足度指標は、「健康と生活圏の質に対する満足度」として定義される。健康（Ｓ）は身体、精神の状態、生活圏の質（Ｅ）は社会関係、環境快適性、環境利便性の状態を表わす。
ＱＯＬの一般的定義    Ｑ＝Ｐ（Ｓ、Ｅ）＋Ｓ＋Ｅ
健康関連ＱＯＬ満足度指標    Ｑ＝Ｐ（Ｓ、Ｅ）
但し、Ｐ：個人の主観的意識
（満足感、幸福感、健康感）
Ｓ：個体の状態
Ｅ：環境の状態
【００２２】
図２に示す影響構造は、緑地の生活の質への影響を、図３のように、Ｐ１）緑地への希求、Ｐ２）行動、Ｐ３）緑地の機能発現、Ｐ４）生活の質への影響の４つのフェーズで捉えることによって設定した。何らかの要因によって緑地への希求が発生し（Ｐ１）、緑との関係（行動）が現れ（Ｐ２）、その結果、緑地の生理・心理的機能によって精神的に良い影響を受け（Ｐ３）、生活の質へ影響し、それが緑地の認識に反映される（Ｐ４）というプロセスである。このプロセスにおいて、例えば緑が多い、少ない等の緑地の空間形態の評価は、行動（利用行動）の選択に影響する。行動が行われる際、緑地の機能が発現し、この緑地の機能は、行動によって認知された効果（認知効果）に影響する。緑地の機能発現により、生活の質への影響が発生し、この生活の質の影響は、健康関連ＱＯＬの満足度に影響を及ぼす。また、緑地の空間形態の評価は、行動を行わなくても、他の人から緑の効果があるという情報を認知するという、行動以外（情報、経験他）による効果の認知（Ｐ５）に影響を及ぼす。この行動以外による効果の認知も、健康関連ＱＯＬの満足度に影響を与える。
【００２３】
従って、図２と図３において、空間形態７０と「緑地の空間形態の評価９０」、利用行動６０と「行動によって認知された効果９１」、健康関連ＱＯＬ７０と「健康関連ＱＯＬの満足度９２」が関係し、それらの関係構造を構築することによって、緑地の生活の質に対する影響構造の全体が完成する。
【００２４】
＜計測・評価・設計の方法＞
（１）計測部１２は、緑地の空間形態の評価、行動によって認知された効果、健康関連ＱＯＬの満足度に関する緑地の利用意識を、緑地の利用者から計測し（インターネット上でのアンケートによる集計）、
（２）因子分析部１３は、空間形態と緑地の空間形態の評価、利用行動と行動によって認知された効果、健康関連ＱＯＬと健康関連ＱＯＬの満足度を関係づけ、
（３）モデル構築部１４は、緑地の生活の質に対する影響構造（緑地・健康関連ＱＯＬ影響構造）を構築する。
（４）構造方程式モデリング部１５は、緑地・健康関連ＱＯＬ影響構造のパス係数、決定係数、因子得点を計測データから統計的に算出し、
（５）緑地・健康関連ＱＯＬ影響構造の要素間の影響度合いをパス係数によって評価し、
（６）緑地・健康関連ＱＯＬ影響構造の要素を健康効果の指標として因子得点によって評価する。
（７）緑地の設計を（５）の評価結果に基づいて行い、
（８）緑地設計の健康効果のシミュレーションを（６）によって行う。
【００２５】
次に、本実施形態による計測・評価・設計の方法について説明する。
＜評価のためのデータを計測＞
図４は、本実施形態の計測部１２によって計測される、緑地の空間形態の評価を示す図である。図５は、本実施形態の計測部１２によって計測される、利用行動によって認知された効果を示す図である。図６は、本実施形態の計測部１２によって計測される、健康関連ＱＯＬの満足度を示す図である。計測部１２は、緑地の利用者から、図４に示す緑地の空間形態の評価、図５に示す行動によって認知された効果、図６に示す健康関連ＱＯＬの満足を、５件法（５水準）、または７件法等によって計測する。図４、図５、図６は、それぞれ、調査項目（観測変数）と、水準（１−５）と、平均値と、標準偏差とが含まれる。平均値、標準偏差は、実際に計測したデータ数（測定対象のユーザの人数）と測定結果とから得られる値である。ここで、データ数は、ｎ＝１６６７であった。
【００２６】
計測部１２は、緑地の空間形態の評価として、図４に示すように、緑の量や種類、利用活動の容易性、空間的開放性等（Ｅ１−Ｅ１０）に関する意識を水準（１−５）の５段階で計測する。具体的には、Ｅ１：緑の量、Ｅ２：樹木の量、Ｅ３：２階を超える高木の量、Ｅ４：草花の量、Ｅ５：自然な緑や水辺の量、Ｅ６：共用緑地、Ｅ７：地域活動、Ｅ８：緑地へのアクセス、Ｅ９：開放的眺望・空間の量、Ｅ１０：建物密度に関する意識を計測する。
【００２７】
図７は、本実施形態における、調査項目（観測変数）を測定する際に端末装置３０−１〜３０−ｎの画面に表示される表示例を示す模式図である。図７には、緑地の空間形態（図４）の評価を入力する際の画面例を示している。ユーザは、図示の画面５０から、緑の量、樹木の量、２階を超える高木の量、草花の量、自然な緑や水辺の量などの調査項目に対して、「１  多い」、「２  やや多い」、「３  どちらともいえない」、「４  やや少ない」、「５  少ない」の５段階で評価する。選択された評価のラジオボタンが黒丸として示されている。利用行動によって認知された効果（図５）、健康関連ＱＯＬの満足度（図６）についても同様な画面から各調査項目に基づく評価結果がユーザからマウス等の入力装置からの操作に応じて入力される。
【００２８】
また、計測部１２は、利用行動によって認知された効果として、図５に示すように、緑地、植物、及びそれらに係わる活動によって得られる精神的充足、景観形成、健康・レクレーション、教育、交流等の効果（Ｂ１−Ｂ７）に関する認知を水準（１−５）の５段階で計測する。具体的には、Ｂ１：心が安らぐ、落ち着く、Ｂ２：景色が良い、Ｂ３：自然と触れあえる、Ｂ４：身体を動かせ健康に良い、Ｂ５：新たな発見や気づき、Ｂ６：仲間つくりや人との交流、Ｂ７：緑を育てる楽しみ・喜びに関する認知を計測する。
【００２９】
また、計測部１２は、健康関連ＱＯＬの満足度として、図６に示すように、身体、精神、社会関係、環境快適性、環境利便性の項目等（Ｑ１−Ｑ１５）に関する満足度を水準（１−５）の５段階で計測する。具体的には、Ｑ１：自分のからだの調子、Ｑ２：自分の体力、Ｑ３：自分のからだの動き、Ｑ４：自分の精神的なゆとり、Ｑ５：自分の意思決定、Ｑ６：自分の信念（信条）、Ｑ７：友人との付き合い、Ｑ８：家族・親類との付き合い、Ｑ９：近所・地域とのつながり、Ｑ１０：生活の便利さ、Ｑ１１：生活情報の得やすさ、Ｑ１２：福祉サービスの内容、Ｑ１３：地域の安全性、Ｑ１４：地域の環境衛生、Ｑ１５：地域の自然環境に関する満足度を計測する。
【００３０】
計測部１２は、このように、緑地の空間形態の評価、利用行動によって認知された効果、健康関連ＱＯＬの満足度を、各評価項目に対する回答を入力してもらうことで、緑地の空間形態の評価、利用行動によって認知された効果、健康関連ＱＯＬの満足度の測定を行う。
【００３１】
＜空間形態、利用行動、健康関連ＱＯＬと対応する計測データの関係を構築＞
次に、因子分析部１３は、空間形態と緑地の空間形態の評価との関係、利用行動と行動によって認知された効果との関係、健康関連ＱＯＬと健康関連ＱＯＬの満足度との関係を構築する。
【００３２】
まず、空間形態と緑地の空間形態の評価との関係について説明する。
図８は、本実施形態の因子分析部１３による、緑地の空間形態の評価に関する因子（第１の因子）を示す図である。図８では、因子Ｎｏ．と、観測変数と、因子負荷量との関係が表されている。図８に示すように、因子Ｎｏ．１は、「Ｅ４  草花の量」、「Ｅ３  ２階を超える高木の量」、「Ｅ２  樹木の量」、「Ｅ５  自然な緑や水辺の量」、「Ｅ７  地域活動」の各因子を含み、因子名「緑の豊かさ」が付与される。因子Ｎｏ．２は、「Ｅ６  共用緑地」、「Ｅ８  緑地へのアクセス」の各因子を含み、因子名「利用活動のし易さ」が付与される。因子Ｎｏ．３は、「Ｅ９  開放的眺望・空間の量」、「Ｅ１０  建物密度」の各因子を含み、因子名「土地空間のゆとり」が付与される。
【００３３】
具体的には、因子分析部１３は、調査項目（観測変数）を因子分析し、共通する因子（潜在変数）毎に分類し、その因子毎に因子Ｎｏ．を割り当てる。因子Ｎｏ．が割り当てられると、その因子Ｎｏ．のそれぞれに、因子Ｎｏ．によってグループ化された調査項目（観測変数）を元に、オペレータがこれらの調査項目（観測変数）に関連する概念を表す因子名を入力する。例えば、因子Ｎｏ．１には、「緑の豊かさ」、因子Ｎｏ．２には、「利用活動のし易さ」等を入力する。これらの名称は、植物・園芸のもたらすＱＯＬの３要素や、百貨店の屋上緑地における効果検証の既住研究の結果を参考にして決定する。
【００３４】
図９は、本実施形態による、空間形態の影響構造を示す概念図である。上述した３つの因子と緑地の空間形態の評価とによって、図９に示す空間形態の影響構造を構築する。図９において、空間形態７０は、緑地の空間形態の評価を因子分析した因子Ｎｏ．１（緑の豊かさ）、因子Ｎｏ．２（利用活動のし易さ）、因子Ｎｏ．３（土地空間のゆとり）と、緑地の空間形態の評価である観測変数とを関連付けることで、空間形態の影響構造を構築する。図９において、空間形態７０は、緑の豊かさ７１、利用活動のし易さ７２、及び土地空間のゆとり７３の３つの因子を包含する。緑の豊かさ７１は、「Ｅ２  樹木の量」、「Ｅ３  ２階を超える高木の量」、「Ｅ４  草花の量」、「Ｅ５  自然な緑や水辺の量」に関連付けられる。また、利用活動のし易さ７２は、「Ｅ６  共用緑地」、「Ｅ７  地域活動」、「Ｅ８  緑地へのアクセス」に関連付けられる。また、土地空間のゆとり７３は、「Ｅ９  開放的眺望・空間の量」、「Ｅ１０  建物密度」に関連付けられる。
【００３５】
次に、利用行動と行動によって認知された効果との関係構築について説明する。
図１０は、本実施形態の因子分析部１３による、利用行動によって認知された効果に関する因子（第２の因子）を示す図である。図１０では、因子Ｎｏ．と、観測変数と、因子負荷量との関係が表されている。因子Ｎｏ．１は、「Ｂ２  景色が良い」、「Ｂ１  心が安らぐ、落ち着く」の各因子を含み、ストレス軽減に係わる項目の因子負荷量が大きいので因子名「生理的健康」が付与される。因子Ｎｏ．２は、「Ｂ５  新たな発見や気づき」、「Ｂ３  自然と触れ合える」、「Ｂ４  身体を動かせ健康に良い」、「Ｂ７  緑を育てる楽しみ・喜び」の各因子を含み、人間として本能が満たされることによって得られる心理的満足感に関する項目の因子負荷量が大きいので因子名「情緒的健康」が付与される。因子Ｎｏ．３は、「Ｂ６  仲間づくりや人との交流」の因子を含み、人とのつながりに係わる項目の因子負荷量が大きいので因子名「社会的健康」が付与される。各因子Ｎｏ．の因子名については、上述した空間形態と同様の手順でオペレータによって付与される。
【００３６】
図１１は、本実施形態による、利用行動の影響構造を示す概念図である。上述した３つの因子と行動によって認知された効果とによって、図１１に示す利用行動の影響構造を構築する。図１１において、利用行動６０は、生理的健康６１、情緒的健康６２、及び社会的健康６３の３つの因子を包含する。生理的健康６１は、上述したように、「Ｂ１  心が安らぐ、落ち着く」、「Ｂ２  景色が良い」に関連付けられる。また、情緒的健康６２は、「Ｂ３  自然と触れ合える」、「Ｂ４  身体を動かせ健康に良い」、「Ｂ５  新たな発見や気づき」、「Ｂ７  緑を育てる楽しみ・喜び」に関連付けられる。また、社会的健康６３は、「Ｂ５  新たな発見や気づき」、「Ｂ６  仲間づくりや人との交流」、「Ｂ７  緑を育てる楽しみ・喜び」に関連付けられる。生理的健康６１、情緒的健康６２、社会的健康６３は、植物・園芸のもたらすＱＯＬの３要素に合致するので、健康を評価する指標とする。
【００３７】
次に、健康関連ＱＯＬと健康関連ＱＯＬの満足度との関係構築について説明する。
図１２は、本実施形態の因子分析部１３による、健康関連ＱＯＬの満足度に関する因子（第３の因子）を示す図である。図１２では、因子Ｎｏ．と、観測変数と、因子負荷量との関係が表されている。図１２に示すように、因子Ｎｏ．１は、「Ｑ２  自分の体力」、「Ｑ３  自分のからだの動き」、「Ｑ１  自分のからだの調子」の各因子を含み、「身体的因子」の因子名が付与される。因子Ｎｏ．２は、「Ｑ１４  地域の環境衛生」、「Ｑ１３  地域の安全性」、「Ｑ１５  地域の自然環境」、「Ｑ１２  福祉サービスの内容」の各因子を含み、因子名「環境快適因子」が付与される。因子Ｎｏ．３は、「Ｑ５  自分の意思決定」、「Ｑ６  自分の信念（信条）」、「Ｑ４  自分の精神的なゆとり」の各因子を含み、因子名「精神的因子」が付与される。因子Ｎｏ．４は、「Ｑ８  家族・親類との付き合い」、「Ｑ９  近所・地域とのつながり」、「Ｑ７  友人との付き合い」の各因子を含み、因子名「社会関係因子」が付与される。因子Ｎｏ．５は、「Ｑ１１  生活情報の得やすさ」、「Ｑ１０  生活の便利さ」の各因子を含み、因子名「環境利便因子」が付与される。各因子Ｎｏ．の因子名については、上述した空間形態や、利用行動と同様の手順で、オペレータによって付与される。
【００３８】
図１３は、本実施形態による、健康関連ＱＯＬの影響構造を示す概念図である。因子分析部１３は、健康関連ＱＯＬを因子分析した因子Ｎｏ．１（身体的因子８１）、因子ＮＯ．２（環境快適因子８２）、因子Ｎｏ．３（精神的因子８３）、因子ＮＯ．４（社会関係因子８４）、因子ＮＯ．５（環境利便因子８５）によって、健康関連ＱＯＬの影響構造を構築する。図１３において、健康関連ＱＯＬ８０は、身体的因子８１、環境快適因子８２、精神的因子８３、社会関係因子８４、及び環境利便因子８５の５つの因子を包含する。
【００３９】
身体的因子８１は、「Ｑ１  自分のからだの調子」、「Ｑ２  自分の体力」、「Ｑ３  自分のからだの動き」に関連付けられる。また、環境快適因子８２は、「Ｑ１２  福祉サービスの内容」、「Ｑ１３  地域の安全性」、「Ｑ１４  地域の環境衛生」、「Ｑ１５  地域の自然環境」に関連付けられる。また、精神的因子８３は、「Ｑ４  自分の精神的なゆとり」、「Ｑ５  自分の意思決定」、「Ｑ６  自分の信念（信条）」に関連付けられる。また、社会関係因子８４は、「Ｑ７  友人との付き合い」、「Ｑ８  家族・親類との付き合い」、「Ｑ９  近所・地域とのつながり」に関連付けられる。また、環境利便因子８５は、「Ｑ１０  生活の便利さ」、「Ｑ１１  生活情報の得やすさ」に関連付けられる。
【００４０】
なお、因子分析部１３によって得られた因子から観測変数（調査項目）に対するパス（関連付け）は、マウスやキーボード等の入力装置（図示略）から入力される指示に従って、編集を行うことができる。例えば、図１０に示す「利用行動によって認知された効果に関する因子」においては、因子Ｎｏ．３は、「Ｂ６  仲間づくりや人との交流」の観測変数のみ関連付けされた結果が得られた場合が示されている。しかし、図１０に示す結果をオペレータが見て、必要に応じて、この関連付けを編集することができる。例えば、図１１では、因子Ｎｏ．３である「社会的健康６３」の因子に対し、「Ｂ６  仲間づくりや人との交流」だけでなく、「Ｂ５  新たな発見や気づき」、「Ｂ７  緑を育てる楽しみ・喜び」を関連付けすることができる。図９に示す空間形態の影響構造や、図１３に示す健康関連ＱＯＬの影響構造についても同様である。
【００４１】
＜緑地・健康関連ＱＯＬ影響構造を構築＞
次に、モデル構築部１４は、図９に示す利用行動の影響構造、図１１に示す空間形態の影響構造、図１３に示す健康関連ＱＯＬの影響構造を、図２に示す緑地の生活の質に対する影響構造に基づいて組合せ、緑地の生活の質に対する影響構造の全体である緑地・健康関連ＱＯＬ影響構造を構築する。
【００４２】
図１４は、本実施形態のモデル構築部１４により構築される、緑地・健康関連ＱＯＬ影響構造を示す概念図である。なお、図９、図１１、図１３に対応する部分には同一の符号を付けて説明を省略する。モデル構築部１４は、図１４に示すように、図２に示す空間形態と利用行動と健康関連ＱＯＬとの関係を表すモデルに基づいて、図９に示す空間形態７０と、図１１に示す利用行動６０と、図１３に示す健康関連ＱＯＬ８０とを関連付し、緑地・健康関連ＱＯＬ影響構造モデルを構築する。
【００４３】
＜緑地・健康関連ＱＯＬ影響構造による計測データの統計的分析＞
図１５は、本実施形態の構造方程式モデリング部１５による、緑地・健康関連ＱＯＬ影響構造の分析結果を示す概念図である。緑地の空間形態の評価、行動によって認知された効果、健康関連ＱＯＬの満足度の計測データに適合する緑地・健康関連ＱＯＬ影響構造を、構造方程式モデリングという統計分析法を用いて分析することによって、図１５に示すように、影響構造を数値的に可視化する。ここで、観測変数とは、計測データ（あるいは調査項目）、潜在変数とは、観測変数の影響関係を表すために設定した構成概念（因子）である。潜在変数には、計測データに対応した因子得点が算出される。
【００４４】
＜構成要素間の影響度合いの評価＞
次に、緑地の空間形態と利用行動の生活の質、つまり健康関連ＱＯＬへの影響を評価する方法について説明する。図１５において、影響の度合いを表すパス係数によって、健康関連ＱＯＬ８０への直接影響が空間形態７０で０．２７、利用行動６０で０．２２であることが分かる。空間形態７０には、利用行動６０を通じた間接影響が０．１４（０．６３×０．２２）あるので、直接影響にそれを加えた総合影響が０．４１（０．２７＋０．１４）となることが分かる。また、健康関連ＱＯＬ８０の決定係数が０．２０であることから空間形態７０と利用行動６０によって健康関連ＱＯＬ８０の２０％を説明できることが分かる。
【００４５】
空間形態７０、利用行動６０と計測データ（観測変数）との関係（影響度合い）を分析する。空間形態７０、利用行動６０が観測変数である「緑地の空間形態の評価（Ｅ２−Ｅ１０）」、「利用行動によって認知された影響（Ｂ１−Ｂ７）」に及ぼす総合影響を、パス係数から前記の間接影響と同様な方法にて算出する。
【００４６】
図１６は、本実施形態の構造方程式モデリング部１５により分析された、空間形態・利用行動と観測変数との関係の強さ（影響度合い）を示す図である。空間形態７０では、「Ｅ２  樹木の量」、「Ｅ６  共用緑地」、「Ｅ４  草花の量」、「Ｅ７  地域活動」において順に関係が強くなり、緑の豊かさと利用活動のし易さに関する項目の重要性が評価される。また、利用行動６０によって認知された影響では、「Ｂ３  自然と触れあえる」、「Ｂ５  新たな発見や気づき」、「Ｂ４  身体を動かせ健康に良い」といった項目において関係が強く、情緒的健康の重要性が評価される。
ここでは、「緑地の空間形態の評価」の項目において、例えば、「Ｅ２  樹木の量」は、「空間形態」を基点とし、「緑の豊かさ」の因子のパスを経由しており、その場合のパス係数は、０．８３であることを表している。
また、例えば、「利用行動によって認知された影響」の項目において、例えば、「Ｅ３  自然と触れあえる」は、「空間形態」を基点とし、「利用行動」、「情緒的健康」の因子のパスを経由しており、その場合のパス係数が０．４８であることを表している。また、この「Ｅ３  自然と触れあえる」は、「空間形態」からの影響を考慮しない場合のパスについては、「利用行動」、「情緒的健康」の２つの因子を経由することになり、その場合のパス係数が０．７７であることを表している。
【００４７】
＜健康効果の評価＞
図１７は、本実施形態の構造方程式モデリング部１５により分析された、行動クラスター別の健康効果（因子得点）の評価を示す図である。次に、利用行動の潜在変数である生理的健康、情緒的健康、社会的健康を指標として因子得点による評価を実施する。図１７に示す行動の組合せ（行動クラスター）による評価、会社員と専業主婦や年代等の属性による評価等を行うことによって、緑地の健康効果の評価を多面的に実施する。図１７に示す行動クラスターにおいて、Ｃ１（共通型）は、後述するＣ２とＣ３の双方を含み、多くの人に実施されている散歩・眺め・休息を主体としている。また、Ｃ２（散歩型）は、散歩を主体としている。また、Ｃ３（眺め型）は、眺めることを主体としている。また、Ｃ４（多様型）は、多様な行動をとることを主体としている。
【００４８】
なお、構造方程式モデリング部１５によって得られた構造モデルについては、ＧＦＩ（Goodness of Fit Index：適合度指標）、ＡＧＦＩ（Adjusted GFI：自由度調整済み適合度指標）、ＣＦＩ（Comparative Fit Index）、ＲＭＳＥＡ（Root mean Square Error of Approximation）によってその適合性を検討し、ＧＦＩ、ＡＧＦＩ、ＣＦＩ、ＲＭＳＥＡの各値において、所定の基準値を満たしていなければ、この構造モデルをオペレータが編集を行う。例えば、調査項目（観測変数）と因子とのパスを追加したり、あるいは削除したりして、再度、構造方程式モデリング処理を行う。このようにして適合性を確認してから評価結果を得る。
【００４９】
＜影響度評価の緑地設計への応用＞
緑地の空間形態の評価（Ｅ２−Ｅ１０）、及び利用行動によって認知された影響の項目（Ｂ１−Ｂ７）の空間形態・利用行動との関連度合いを考慮して設計内容を決める。
【００５０】
＜緑地設計の健康効果のシミュレーション＞
上述した「緑地・健康関連ＱＯＬ影響構造による計測データの統計的分析」を既に終了した計測データに、新たな緑地設計によって得られる緑地の空間形態の評価、利用行動によって認知された効果、健康関連ＱＯＬの満足度のデータを追加し、再度、統計分析を実施することによって、新たな緑地設計の生理的健康、情緒的健康、社会的健康に関する因子得点を算出し、新たな緑地設計の健康効果を評価する。
【００５１】
上述したように、本発明は、例えば、既に構築された環境（公園、ビルの屋上等の緑がある環境）に対し、上記の調査項目に対する観測を行っておき、図１５のような構造モデルを得て、調査項目（観測変数）と各因子間のつながりを、パス係数や決定係数、因子得点を参照することで、これから緑地化する環境について検討することが可能である。
また、例えば、図４、図５、図６に示すような測定結果が得られていたとしても、上述のような構造モデルを用いて緑地を評価することで、緑地がユーザのどのような心理（因子）に影響しているか、また、その心理（因子）の関係性の高さを評価することができる。このため、緑地とその評価結果の関係性を手がかりにし、ユーザに対しどのような心理的、生理的効果を与えたいかを考慮した新たな緑地の設計を行うことができる。
【００５２】
上述した実施形態によれば、緑地の生活の質（健康関連ＱＯＬ）への影響が数量的かつ構造的に明らかになり、緑地設計において生活の質を高めるための配慮事項が影響係数によって重点化される。そして、緑地設計における健康効果をシミュレーションすることによって、緑地を人間に対する心理的、生理的効果が高くなるように整備することを支援することができる。
【符号の説明】
【００５３】
１０  緑地評価装置
１１  通信部
１２  計測部
１３  因子分析部
１４  モデル構築部
１５  構造方程式モデリング部
１６  入力部
１７  出力部
１８  観測結果記憶部
１９  構造モデル記憶部
２０  ネットワーク
３０−１〜３０−ｎ  端末装置
【図１】
2014167717.tif 000003
【図２】
2014167717.tif 000004
【図３】
2014167717.tif 000005
【図４】
2014167717.tif 000006
【図５】
2014167717.tif 000007
【図６】
2014167717.tif 000008
【図７】
2014167717.tif 000009
【図８】
2014167717.tif 000010
【図９】
2014167717.tif 000011
【図１０】
2014167717.tif 000012
【図１１】
2014167717.tif 000013
【図１２】
2014167717.tif 000014
【図１３】
2014167717.tif 000015
【図１４】
2014167717.tif 000016
【図１５】
2014167717.tif 000017
【図１６】
2014167717.tif 000018
【図１７】
2014167717.tif 000019